【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
画像データを入力する入力手段と、
前記入力手段によって入力された画像データに対する補正処理の指示を受け付ける受付手段と、
前記画像データがオートブラケット撮影機能によって撮影された撮影条件の異なる複数の画像データであるか否かを判定する判定手段と、
前記判定手段によって前記画像データがオートブラケット撮影機能によって撮影された撮影条件の異なる複数の画像データであると判定された場合、複数の補正処理のそれぞれに対してオートブラケット撮影機能が対応付けられている対応表を参照して、前記受付手段によって受け付けた補正処理に対応するオートブラケット撮影機能を決定する決定手段と、
前記入力手段によって入力された画像データが前記決定手段によって決定されたオートブラケット撮影機能によって撮影された撮影条件の異なる複数の画像データである場合、前記入力手段によって入力された撮影条件の異なる複数の画像データの中から、前記受付手段によって受け付けた補正処理の指示の条件に対応する画像データを選択する選択手段と、
前記入力手段によって入力された画像データが前記決定手段によって決定されたオートブラケット撮影機能によって撮影された撮影条件の異なる複数の画像データではない場合、前記入力手段によって入力された画像データに前記補正処理を行う補正手段と
を有することを特徴とする画像処理装置。
【請求項２】
前記入力手段によって入力される画像データは、複数の画像データからなる画像ファイル内の画像データであることを特徴とする請求項１に記載の画像処理装置。
【請求項３】
前記補正処理は明るさ調整処理であり、前記補正処理に対応するオートブラケット撮影機能は露出ブラケット撮影であることを特徴とする請求項１に記載の画像処理装置。
【請求項４】
前記補正処理は前記画像データを明るく調整する処理であり、前記入力手段によって入力された撮影条件の異なる複数の画像データの中から、露出プラス補正で撮影された画像データを選択することを特徴とする請求項１に記載の画像処理装置。
【請求項５】
前記補正処理は前記画像データを暗く調整する処理であり、前記入力手段によって入力された撮影条件の異なる複数の画像データの中から、露出マイナス補正で撮影された画像データを選択することを特徴とする請求項１に記載の画像処理装置。
【請求項６】
前記補正処理は赤目補正処理であり、前記補正処理に対応するオートブラケット撮影機能は赤目軽減ブラケット撮影であることを特徴とする請求項１に記載の画像処理装置。
【請求項７】
前記入力手段によって入力される画像データは、一度の撮影動作において撮影条件の異なる一連の複数の画像データからなる画像ファイル内の画像データであることを特徴とする請求項１に記載の画像処理装置。
【請求項８】
さらに、前記選択手段によって選択された複数の画像データを合成する合成手段を有することを特徴とする請求項１に記載の画像処理装置。
【請求項９】
前記合成手段によって合成された後の合成画像データに対して、前記受付手段によって受け付けた補正処理を行うことを特徴とする請求項８に記載の画像処理装置。
【請求項１０】
画像データを入力する入力工程と、
前記入力工程にて入力された画像データに対する補正処理の指示を受け付ける受付工程と、
前記画像データがオートブラケット撮影機能によって撮影された撮影条件の異なる複数の画像データであるか否かを判定する判定工程と、
前記判定工程にて前記画像データがオートブラケット撮影機能によって撮影された撮影条件の異なる複数の画像データであると判定された場合、複数の補正処理のそれぞれに対してオートブラケット撮影機能が対応付けられている対応表を参照して、前記受付工程にて受け付けた補正処理に対応するオートブラケット撮影機能を決定する決定工程と、
前記入力工程にて入力された画像データが前記決定工程にて決定されたオートブラケット撮影機能によって撮影された撮影条件の異なる複数の画像データである場合、前記入力工程にて入力された撮影条件の異なる複数の画像データの中から、前記受付工程にて受け付けた補正処理の指示の条件に対応する画像データを選択する選択工程と、
前記入力工程にて入力された画像データが前記決定工程にて決定されたオートブラケット撮影機能によって撮影された撮影条件の異なる複数の画像データではない場合、前記入力工程にて入力された画像データに前記補正処理を行う補正工程と
を有することを特徴とする画像処理方法。
【請求項１１】
コンピュータを、
画像データを入力する入力手段、
前記入力手段によって入力された画像データに対する補正処理の指示を受け付ける受付手段、
前記画像データがオートブラケット撮影機能によって撮影された撮影条件の異なる複数の画像データであるか否かを判定する判定手段、
前記判定手段によって前記画像データがオートブラケット撮影機能によって撮影された撮影条件の異なる複数の画像データであると判定された場合、複数の補正処理のそれぞれに対してオートブラケット撮影機能が対応付けられている対応表を参照して、前記受付手段によって受け付けた補正処理に対応するオートブラケット撮影機能を決定する決定手段、
前記入力手段によって入力された画像データが前記決定手段によって決定されたオートブラケット撮影機能によって撮影された撮影条件の異なる複数の画像データである場合、前記入力手段によって入力された撮影条件の異なる複数の画像データの中から、前記受付手段によって受け付けた補正処理の指示の条件に対応する画像データを選択する選択手段、
前記入力手段によって入力された画像データが前記決定手段によって決定されたオートブラケット撮影機能によって撮影された撮影条件の異なる複数の画像データではない場合、前記入力手段によって入力された画像データに前記補正処理を行う補正手段
として機能させるためのプログラム。
【手続補正２】
【補正対象書類名】明細書
【補正対象項目名】００１４
【補正方法】変更
【補正の内容】
【００１４】
上記課題を解決するため、画像処理装置は次の構成を有する。すなわち、画像データを入力する入力手段と、前記入力手段によって入力された画像データに対する補正処理の指示を受け付ける受付手段と、前記画像データがオートブラケット撮影機能によって撮影された撮影条件の異なる複数の画像データであるか否かを判定する判定手段と、前記判定手段によって前記画像データがオートブラケット撮影機能によって撮影された撮影条件の異なる複数の画像データであると判定された場合、複数の補正処理のそれぞれに対してオートブラケット撮影機能が対応付けられている対応表を参照して、前記受付手段によって受け付けた補正処理に対応するオートブラケット撮影機能を決定する決定手段と、前記入力手段によって入力された画像データが前記決定手段によって決定されたオートブラケット撮影機能によって撮影された撮影条件の異なる複数の画像データである場合、前記入力手段によって入力された撮影条件の異なる複数の画像データの中から、前記受付手段によって受け付けた補正処理の指示の条件に対応する画像データを選択する選択手段と、前記入力手段によって入力された画像データが前記決定手段によって決定されたオートブラケット撮影機能によって撮影された撮影条件の異なる複数の画像データではない場合、前記入力手段によって入力された画像データに前記補正処理を行う補正手段とを有する。
【手続補正３】
【補正対象書類名】明細書
【補正対象項目名】００１５
【補正方法】削除
【補正の内容】